(57)【要約】【課題】視聴者が特に携帯端末で番組を視聴する際に、ストリーミング又はダウンロードした際の視聴対象の番組の配信を低価格で提供する。【解決手段】番組の制作を行う番組制作システムと、当該番組のデータを再生する視聴端末とから構成される視聴番組配信システムで、前記番組制作システムは、配信対象の番組データに対してＣＭデータを挿入し、この番組データに含まれる挿入ＣＭデータのリストを生成し、この挿入ＣＭデータに対するハッシュ値を計算し、このハッシュ値を利用するスクランブル鍵を生成し、前記番組データを暗号化する。視聴端末は、表示選択された挿入ＣＭリストの挿入ＣＭデータに基づいてハッシュ値を計算し、このハッシュ値を用いて、スクランブル鍵を生成し、当該番組データを復号する。【選択図】図５
2008227699.tif 000002
【特許請求の範囲】
【請求項１】
番組の制作を行う番組制作システムと、当該番組のデータを再生する視聴端末とから構成
される視聴番組配信システムにおいて、
前記番組制作システムは、
配信対象の番組データに対してＣＭデータを挿入するＣＭデータ挿入手段と、
前記番組データに基づいて、前記ＣＭデータ挿入手段により挿入された挿入ＣＭデータの
リストである挿入ＣＭリストを生成する挿入ＣＭリスト生成手段と、
前記ＣＭデータ挿入手段により挿入された挿入ＣＭデータに基づいて特定の挿入ＣＭ算出
値を計算する挿入ＣＭ算出値計算手段と、
前記挿入ＣＭ算出値計算手段により計算された挿入ＣＭ算出値を用いて、スクランブル鍵
を生成し、前記番組データを暗号化するスクランブル手段を備え、
前記視聴端末は、
前記挿入ＣＭリストの表示または選択を実行して促すＣＭリスト表示選択手段と、
前記番組データに含まれる挿入ＣＭデータに基づいて特定の挿入ＣＭ算出値を計算する挿
入ＣＭ算出値計算手段と、
前記挿入ＣＭ算出値計算手段により計算された挿入ＣＭ算出値を用いて、スクランブル鍵
を生成し、当該番組データを復号するデスクランブル手段と、
前記デスクランブル手段により復号された当該番組データを再生する番組データ再生手段
を備えることを特徴とする視聴番組配信システム。
【請求項２】
前記挿入ＣＭリスト生成手段は、当該番組データ内に挿入される挿入ＣＭデータと当該番
組データ内に挿入されない拡張ＣＭデータを含む挿入ＣＭリストを生成することを特徴と
する請求項１記載の視聴番組配信システム。
【請求項３】
前記デスクランブル手段は、前記スクランブル手段によって生成されたスクランブル鍵の
情報及びと自装置の当該挿入ＣＭ算出値計算手段により計算された挿入ＣＭ算出値を用い
てスクランブル鍵を生成することを特徴とする請求項１または２記載の視聴番組配信シス
テム。
【請求項４】
前記スクランブル鍵の生成の際、前記自装置の当該挿入ＣＭ算出値計算手段により計算さ
れた挿入ＣＭ算出値として、前記挿入ＣＭデータのハッシュ値を用いることを特徴とする
請求項３記載の視聴番組配信システム。
【請求項５】
前記挿入ＣＭリスト生成手段により生成されたＣＭリスト内の拡張ＣＭは、当該番組デー
タと同じ音声、映像に加えて、ＨＴＭＬ、ＵＲＬ、静止画またはテキストで構成されるこ
とを特徴とする請求項４記載の視聴番組配信システム。
【請求項６】
前記視聴端末は、前記挿入ＣＭリスト生成手段により生成された挿入ＣＭデータの視聴回
数をカウントする挿入ＣＭデータ視聴カウント手段をさらに備え、
当該挿入ＣＭデータ視聴カウント手段は、特定回数以上の視聴回数をカウントすると前記
生成された挿入ＣＭデータのハッシュ値を記憶装置に記録して当該番組データをスキップ
することを特徴とする請求項１ないし５記載の視聴番組配信システム。
【発明の詳細な説明】
【技術分野】
【０００１】
本発明は、通信ネットワーク技術の応用例として、デジタル番組に挿入されたＣＭの閲覧
を確保するための視聴番組配信システムである。
【背景技術】
【０００２】
従来の技術においては、特定の番組に録画する場合に、その番組が放送又は有線放送され
た場合に挿入されるＣＭを視聴者がスキップ（視聴しなくて良い）することができるため
、ＣＭを番組に挿入することを依頼する広告代理店や当該番組のスポンサーの立場からす
れば、種々の不都合がある。具体的には、視聴者が番組をスキップしてしまうと、視聴者
がＣＭを視聴しなくなり、当該ＣＭの宣伝による商品イメージ等の広告による収入が思う
ように回収することができないと言った問題点がある。
【０００３】
映像コンテンツを視聴する際に、広告情報の視聴も同時に行わせる技術がある（例えば、
特許文献１参照）。この特許文献１では、入力Ｉ／Ｆから入力された映像コンテンツと広
告情報との配信コンテンツは、エンコーダでエンコードされて切り替えスイッチに供給さ
れる。また、エンコーダでは、デコードも行なわれており、デコードされた配信コンテン
ツはコントローラにも供給される。コントローラは、この配信コンテンツの映像コンテン
ツと広告情報とを判別し、この判別結果に基づいて切り替えスイッチを制御するとともに
、広告情報からスクランブル鍵を生成する。かかる切り替えスイッチの制御により、エン
コーダから出力される出力Ｉ／Ｆに供給されるが、映像コンテンツは、スクランブラで上
記のスクランブル鍵を用いてスクランブルされた後、出力Ｉ／Ｆに供給される。出力Ｉ／
Ｆでは、映像コンテンツの先頭に広告情報が付加され、映像コンテンツがスクランブルさ
れた配信コンテンツとして配信される。
【０００４】
また、映像コンテンツを視聴する際に最新の有効な広告を確実に視聴させることができる
技術も提案されている（例えば、特許文献２参照）。この特許文献２では、ＥＭＭ（Ｅｎ
ｔｉｌｅｍｅｎｔ  Ｍａｎａｇｅｍｅｎｔ  Ｍｅｓｓａｇｅ：個別情報）で指定されたコ
ンテンツと有効期限とを更新するＥＭＭ更新情報を広告に対応付け、広告が視聴されたと
き、ＥＭＭを更新して、ＥＭＭ更新情報で指定されたコンテンツの視聴が可能になるよう
に構成している。そのため、視聴者は、コンテンツを無料で視聴するために、確実に広告
を見ることになる。広告の視聴で可能になるコンテンツの視聴には有効期限が設定される
ため、コンテンツの視聴時点がその有効期限内に含まれるように最新の広告を視聴するこ
とが必要になる。
【特許文献１】特開２００５−３２２３４号公報
【特許文献２】特開２００５−２８６８４４号公報
【発明の開示】
【発明が解決しようとする課題】
【０００５】
しかし、上記した特許文献１、２では、視聴者が視聴希望するＣＭを選択することは技術
的に担保されておらず、広告代理店側の上記不都合は解消するものの、依然として視聴者
に対する発生する問題点は解決されていない。実際に、視聴者がＣＭを視聴するにも無料
であるとは限らず、視聴者ひいては広告代理店にもその収入が還元されるような番組内の
ＣＭの効果を高めることが重要でありこの問題点は未だ解決されていない。
【０００６】
そこで、本発明は上記事情に鑑みてなされたものであり、その目的は、視聴者が特に携帯
端末で番組を視聴する際に、ストリーミング又はダウンロードした際の視聴対象の番組の
配信を低価格で提供できる視聴番組配信システムを提供することである。
【課題を解決するための手段】
【０００７】
上記課題を解決するために、本発明は、番組の制作を行う番組制作システムと、当該番組
のデータを再生する視聴端末とから構成される視聴番組配信システムにおいて、前記番組
制作システムは、配信対象の番組データに対してＣＭデータを挿入するＣＭデータ挿入手
段と、前記番組データに基づいて、前記ＣＭデータ挿入手段により挿入された挿入ＣＭデ
ータのリストである挿入ＣＭリストを生成する挿入ＣＭリスト生成手段と、前記ＣＭデー
タ挿入手段により挿入された挿入ＣＭデータに基づいて特定の挿入ＣＭ算出値を計算する
挿入ＣＭ算出値計算手段と、前記ＣＭ算出値計算手段により計算された挿入ＣＭ算出値を
用いて、スクランブル鍵を生成し、前記番組データを暗号化するスクランブル手段を備え
、前記視聴端末は、前記挿入ＣＭリストの表示または選択を実行して促すＣＭリスト表示
選択手段と、前記番組データに含まれる挿入ＣＭデータに基づいて特定の挿入ＣＭ算出値
を計算する挿入ＣＭ算出値計算手段と、前記挿入ＣＭ算出値計算手段により計算された挿
入ＣＭ算出値を用いて、スクランブル鍵を生成し、当該番組データを復号するデスクラン
ブル手段と、前記デスクランブル手段により復号された当該番組データを再生する番組デ
ータ再生手段を備えることを特徴とする。
【０００８】
さらに、本発明の前記挿入ＣＭリスト生成手段は、当該番組データ内に挿入される挿入Ｃ
Ｍデータと当該番組データ内に挿入されない拡張ＣＭデータを含む挿入ＣＭリストを生成
することを特徴とする。
【０００９】
さらに、本発明の前記デスクランブル手段は、前記スクランブル手段によって生成された
スクランブル鍵の情報及びと自装置の当該挿入ＣＭ算出値計算手段により計算された挿入
ＣＭ算出値を用いてスクランブル鍵を生成することを特徴とする。
【００１０】
さらに、本発明では、前記スクランブル鍵の生成の際、前記自装置の当該挿入ＣＭ算出値
計算手段により計算された挿入ＣＭ算出値として、前記挿入ＣＭデータのハッシュ値を用
いることを特徴とする。
【００１１】
さらに、本発明では、前記挿入ＣＭリスト生成手段により生成されたＣＭリスト内の拡張
ＣＭは、当該番組データと同じ音声、映像に加えて、ＨＴＭＬ、ＵＲＬ、静止画またはテ
キストで構成されることを特徴とする。
【００１２】
最後に、本発明では、前記挿入ＣＭリスト生成手段により生成された挿入ＣＭデータの閲
覧回数をカウントする挿入ＣＭデータ閲覧カウント手段をさらに備え、当該挿入ＣＭデー
タ閲覧カウント手段は、特定回数以上の閲覧回数をカウントすると前記生成された挿入Ｃ
Ｍデータのハッシュ値を記憶装置に記録して当該番組データをスキップすることを特徴と
する。
【発明の効果】
【００１３】
ダウンロード型携帯視聴番組配信システムにおいて、ＣＭの効果を高めることができる。
【発明を実施するための最良の形態】
【００１４】
以下、図面を参照し、この発明の実施例を説明する。
【００１５】
図１はこのダウンロード型携帯視聴番組配信システムの実施例の全体構成を示したもので
ある。本実施例におけるダウンロード携帯視聴番組配信システムは、（A）制作システム
、（B）携帯視聴端末と、（A）で制作される（B）で視聴される「ダウンロード型携帯視
聴番組」から構成される。
【００１６】
図２及び図３は“A：制作システム”と“B：携帯視聴端末機能”における実現される機能
の構成を示したものである。図2に示したように、“A：制作システム”ではＣＭ挿入部、
挿入ＣＭリスト生成部、挿入ＣＭハッシュ値計算部、スクランブル部を持つ。
【００１７】
ＣＭ挿入部は、配信対象の番組データに対してＣＭデータを挿入する処理を行うものであ
る。
【００１８】
挿入ＣＭリスト生成部は、配信対象の番組データに対してＣＭ挿入部によって挿入された
挿入ＣＭデータのリストである挿入ＣＭリストを生成する処理を行うものである。また、
挿入ＣＭリスト生成部は、当該番組データ内に挿入される挿入ＣＭデータと当該番組デー
タ内に挿入されない拡張ＣＭデータを含む挿入ＣＭリストを生成する処理も行う。ここで
いう拡張ＣＭデータとは、挿入ＣＭリスト生成部により生成されたＣＭリスト内の拡張Ｃ
Ｍは、当該番組データと同じ音声、映像に加えて、ＨＴＭＬ、ＵＲＬ、静止画またはテキ
ストで構成されるものである。
【００１９】
挿入ＣＭハッシュ値計算部は、ＣＭ挿入部によって挿入された挿入ＣＭデータに基づいて
、特定の挿入ＣＭデータに対するハッシュ値を計算する処理を行うものである。ハッシュ
値を計算するためのハッシュ関数については特にその様式を問わない。このハッシュ値を
計算する技術については公知のものであるため、ここでは詳細は省略することとする。
【００２０】
スクランブル部は、挿入ＣＭハッシュ値計算部によって計算された挿入ＣＭハッシュ値を
用いて、スクランブル鍵を生成し、番組データを暗号化する処理を行うものである。
【００２１】
図３に示したように、“B：携帯視聴端末”では、ＣＭリスト表示選択部、挿入ＣＭハッ
シュ値計算部、デスクランブル部、番組本体データ再生部を持つ。
【００２２】
ＣＭリスト表示選択部は、自装置を用いる視聴者に対して、挿入ＣＭリストの表示または
選択を実行して促す処理を行うものである。
【００２３】
挿入ＣＭハッシュ値計算部は、番組データに含まれる挿入ＣＭデータに基づいて特定の挿
入ＣＭのハッシュ値を計算するものである。ハッシュ値を計算するためのハッシュ関数に
ついては上記と同様である。
【００２４】
デスクランブル部は、挿入ＣＭ算出値計算部により計算された挿入ＣＭ算出値を用いて、
スクランブル鍵を生成し、当該番組データを復号する処理を行うものである。また、デス
クランブル部は、制作システムのスクランブル部によって生成されたスクランブル鍵の情
報及びと自装置の当該挿入ＣＭ算出値計算部により計算された挿入ＣＭ算出値を用いてス
クランブル鍵を生成する。
【００２５】
番組本体データ再生部は、デスクランブル部により復号された当該番組データを再生する
処理を行うものである。
【００２６】
また、図３には図示していないが、視聴端末には、挿入ＣＭリスト生成部により生成され
た挿入ＣＭデータの視聴回数をカウントする挿入ＣＭデータ視聴カウント部も備え、この
挿入ＣＭデータ視聴カウント部は、特定回数以上の視聴回数をカウントすると前記生成さ
れた挿入ＣＭデータのハッシュ値を記憶装置（不図示）に記録して当該番組データをスキ
ップする処理も行うものである。
【００２７】
図１でしめしたダウンロード型携帯視聴番組における“a:番組本体データ”、“ＣＭリス
ト”の構成について、図４のように示す。
【００２８】
図５に、本発明のダウンロード型携帯視聴番組システムの動作作用を示したものである。
番組は1分間で更新されるスクランブル鍵で暗号化される。番組のメタ情報として、ＣＭ
リストを持つ。スクランブル鍵の一部で、ＣＭのハッシュ値を絡める。ＣＭリストから、
ＣＭを直接視聴でき、拡張ＣＭも見られる。
【００２９】
番組本体をデスクランブルするスクランブル鍵の一部はスクランブル鍵情報とＣＭリスト
のコンテンツのハッシュ値とのXORで生成される。ＣＭリストから拡張ＣＭを見ることが
できる。
【００３０】
また、別の変形例として、挿入したＣＭのハッシュ値は挿入ＣＭのデータから生成され
る値であれば、ハッシュ値に限らない。
【００３１】
さらに、スクランブル鍵生成は、スクランブル鍵情報とハッシュちと演算で生成され、
XORに限らない。
【００３２】
さらに、拡張ＣＭは、番組と同じ音声、映像に限らず、HTML、URL静止画、テキストな
どで構成されてもよい。
【図面の簡単な説明】
【００３３】
【図１】本発明の視聴番組配信システムの全体構成を示す模式図。
【図２】（番組）制作システムの内部構成を示す機能ブロック図。
【図３】視聴者の用いる携帯視聴端末の機能構成図。
【図４】ダウンロード型携帯視聴番組の構成図。
【図５】本発明の視聴番組配信システムの全体の動作の流れを示した作用図。
【図１】
2008227699.tif 000003
【図２】
2008227699.tif 000004
【図３】
2008227699.tif 000005
【図４】
2008227699.tif 000006
【図５】
2008227699.tif 000007